(57)【要約】      （修正有）【課題】痛むのはいつも同じ所で、修理代は結構高く、ベルトが痛めば他はまだ良くても使い物にならないのはエコに反する。仕事人間には仕事、育児、介護、買い物、用事、勉教同時にこなせるバッグが要る。使いなれたバッグを使用することが多く、時間の節約の為にもｏｎもｏｆも一つのバッグでこなしたい。【解決手段】バッグとベルトを別々にしてそれぞれを工夫した。提げるときは長すぎてもみじかすぎてもだめでもちかえられることが大切。若干短めのほうが軽く感じられ、腕を通せる長さが良い。重いときはバッグの底からベルトを回すことができる。育児、介護、沢山の荷物の時は絶対両手が欲しい。ベルトの使いかたで提げる、ショルダーにする、リュックにするを２〜３通りできる。いずれもベルトの位置をすこしずつずらせて使える分痛みがすくない。【選択図】図２
2009285433.tif 000002
【特許請求の範囲】
【請求項１】
（イ）バック本体とベルトを別々にした。
（ロ）中袋を取り外し可能にしておく。
以上の構成によるオールマイティに使えるビジネスバッグ
▲１▼「物品の形状」
バッグ本体はＡ４を横に入れられるように横長。
取り外し可能の中袋２つ。
ベルトは二本。
▲２▼「物品の構造」
胴は上中央に横１１センチ×縦３センチの持ち手をつくる。
中袋、胴共に同じ位置にベルトを接続するためのハトメをつくる。
カフスボタンでとめる。
中の袋のたるみを防ぐために胴上部に均等に３このボタンをつける。
底幅とその両サイドの幅は１０センチ未満で両サイドの下部は留め金、上部は片方を引けば幅が狭くなり、ベルトを通しともなり、ベルト止めともなる機能が一体となった物をとりつける。
ベルトは三部構成で片方にバッグ本体とつなぐ留め金とワッカを、片方はチェーンと取り外し可能な留め金をつける。
肩パットとして、夏はタオル地、冬は毛皮などアクセサリーとしても使えるものをとりつける。（これは取り外し可）
▲３▼「物品の組み合わせ」
以上のバック本体とベルトの使い方で、リュック、ショルダーバッグ、提げる、をそれぞれ２〜３とおりに使える。
【発明の詳細な説明】
【発明の詳細な説明】
【発明の属する分野】
【０００１】この発明はバッグにも優しく身体にも負担を少なくするために工夫したバッグに関するものである。
【背景技術】
【０００２】おしゃれなバックはたくさんありますが、女性用で仕事とプライベートの両方に適したバックはみかけません。
毎年、新学期まえになると新作を期待して探し回りました。
考えたすえに、男性用のビジネスバックを利用。
Ａ４の書類が収まるのは良いですが沢山入ると他の物が入るゆとりがなく、中の仕切りにいれてある携帯やめがねや財布がだしにくく、それらの重さでせっかく仕切りのある中の袋がヘタリ易い。
２ｗａｙであるのはありがたいがもち手を使うときは長いベルトがぶらぶらして邪魔になり、とりはずすと入用のとき困る。
またベルトを使うときはもち手が（腕に通すゆとりのあるのは良いが）邪魔になる。カチッとしたもち手だと提げるのみしかできない。かっこいいが使いずらい。
ショルダーバッグとリュックを兼用したものでのリュックは沢山荷物があるときや、両手が欲しい時はとても助かるが仕事には向かない。
迅速がなにより大切な仕事にＡ４の  書類を縦に入れていたのでは見出しがみえず、上の方がしぼまってしまうので出しずらい。
大切な書類が痛んでは話にならない。学生用の鞄みたいのはあるが、かぶせがとても邪魔になる。（すぐに書類をだせない）下げる部分はあるが壁にかけたりする為のものであったり、さげられるようになっているものでも荷が重ければしなりやすい。材質的にも仕事にはむかない。
【発明が解決しようとする課題】
【０００３】これには次のような欠点があった。
女性用のビジネスバッグといえど機能的とはいえず仕事優先の結果の妥協としてＡ４が横にいるための大きめのバックをもつことになる。
女性の服はポケットはあってもほとんどかざりに近いので必要な持ち物はバッグに頼らざるをえない。
男性の場合はスーツのポケットもペンの入る長さ、内ポケットも財布の入る長さ等、計算されてつくられている。スーツを着ている限りでは少なくても６つ以上のポケットがあって、いつでもなんでもすぐだせてすぐしまえる環境にある。着るものでの便利よさに比べればバッグでの便利よさははるかに及ばないだけに、男性のビジネスバッグ以上に女性のバッグには機能性の追求は絶対大切です。
又、女性の肩にはずっしりと子育てや家事や介護がかかっておりそのため、家族のもの、役所関係、銀行関係、医療関係等のものを持ち歩かねばならないことがあります。
平均通勤時間からいってＴＰＯにあわせて家に帰ってバックを持ち替えるゆとりはなく料理、洗濯以外はすべてを家に帰るまでなしとげねばならいのが現状です。あわただしく中身を入れ替えたりすると必ず要る物を忘れたりする。又、そんな時間のロスももったいない。
バッグは沢山あっても結局使いなれたものばりを使うことが多く、その分痛みもはやい。いつも同じところが痛むので、そこだけ修理してもらおうと思うのだが修理代を聞くと買ったほうがましでもったいないとおもいつつ、さようならをする。
本発明は、以上のような欠点をなくすためになされたものである。
【課題を解決するための手段】
【０００４】一つのバック本体がオールマイティで機能的で長持ちするためにバックとベルトを別々にすれば痛んだ物のみをとりかえることができる。
自由にアレンジ出来るのでそれぞれ同じ所ばかり酷使することがないので長持ちするし利用頻度も大きくなる。
バック自体が重くては身体への負担も大きいので極力最小限のもので最大に利用ができるよう、可能な限り２〜３の機能をかねそなえるようにした。
バック本体との留め金には、大きめのカフスボタンを利用、カフスボタンだと簡単に取り外しができる。
中袋は取り外し自由にすればそれだけを入用時には単独でも使える。
用途に応じた中袋（例えばパソコン用とか）を選べるようにしておく。
又、２つともとりはずせばその分広くつかえる。
一つはビニールでバックのカバーにもなるようにしておく。
普通のベルトは、はずしてはめて通す３段階の手間がいるがチェーンだと簡単に長さの調節ができアクセサリーとしてもかっこよく、もつ楽しみも大きい。身長は決まっているので自分に合った長さを選べるのもバッグとベルトが別だからこそである。以上の構成による組み合わせでオールマイティに使えるビジネスバックである。
【発明を実施するための最良の形態】
【０００５】本発明の実施の形態について説明する。
ベルトは三部構成でチェーンで長さの調節をする。
肩パットとして兼用するタオル地（夏用）は身体にも優しく気持ち良い。
取り外しできるので洗濯もできる。
毛皮（冬用）はゴージャス感があってリッチな気分になれる。いずれもともにアクセサリーとして楽しめるので気分爽快である。
ベルトの真ん中の部分は二本の革ひもをバック本体の留め金の部分にあわせてとめられるようにつないでおく。
（図１）上部中央の１１センチ×３センチの空きは持ち手となるので基本形としてこれ単独では提げるバックとして機能する。
（図２）持ち手の長さは自由にアレンジできる。
（図３）中の袋は取り外し自由。たるみを防ぐためハトメ以外に上部に同位置線上に均等に３このハトメを作り同じくカフスボタンでとめるようにする。
中袋の一つはバッグのカバーとしても使うためバッグに掛けるためのひもをつけておく。
外ポケットはすぐだせてすぐしまうためのバッグの生命線なので、深くても困るし浅くても困る。
バックカバーにもなる中の袋はあさい方が使いやすいので物を入れたときのふくらみは上下で相殺できる形になる。
（図４）リュックにするときは空きの部分からベルトを３と５にクロスさせて通し、７と８で止める。
（図５）ショルダーにする時は片方にベルトでワッカを作りそれとバックのサイドの９で留める。もちろん１０でとめてもよい。
いずれの場合も２〜３通りの使い方ができる。
持ち手部分はリュック以外では被せの役目もする。
左右対称裏表同じなのでリュックの場合大事なものは背中側にもってこれる。
【発明の効果】
【０００６】高齢化社会に向かって健康で７０歳までは働かないといけない時代です。
育児家事介護仕事をこなす体力は経済的な面からいってもお弁当持参、寒ければ一枚持っていき、雨が降りそうだと傘をもっていく、歯ブラシセットも化粧品もかかせない。本が好きな人はほんをいれ、カセットで英会話の勉強したい人はカセットをいれ、つかの間の休息には好きなことで十分な充電をする。仕事の帰りは夕食の材料の買い物、できるだけ荷物は一つにまとめたい。その前に子供を迎えに行く。子供と手をつなぐ子供が小さいときのなによりのコミュニケーション。
これだけのことを来る日も来る日も元気こなすために、このバックはリュックになりショルダーバックになり腕に通すこともでき提げることもしてくれる応援団。帰れば料理に掃除洗濯アイロンがけ際限なくあります。
軽くて変幻自在なバックは助けの神。家にいる以外はバックなしではなりたたない重要アイテムです。
男性のスーツのポケットのように外ポケットこそバックの生命線、携帯、定期、メガネ等はすぐだせてすぐなおしたい。６つは作れるポケットがその役目をはたしてくれる。
鍵や財布のように大事なものはポケットのなかにファスナー付ポケットだと安心する。伸縮性のポケットもボトル用にぜひ必要。伊達男が羽織の裏を自慢したことをバッグでやる。
表が黒だと仕事から冠婚葬祭まで使える。裏は明るく芸術的だと元気がでる。必要な物、大事な物がその中にある。家では書斎になる。
寅さんではないがこんなバッグがあれば小旅行もできる。きっと男性でも使いたくなるとおもう。
【図１】
2009285433.tif 000003
【図２】
2009285433.tif 000004
【図３】
2009285433.tif 000005
【図４】
2009285433.tif 000006
【図５】
2009285433.tif 000007
【手続補正書】
【提出日】平成20年7月30日(2008.7.30)
【手続補正１】
【補正対象書類名】明細書
【補正対象項目名】全文
【補正方法】変更
【補正の内容】
【発明の詳細な説明】
【技術分野】
【０００１】この発明はバックにも優しく身体にも負担を少なくするために工夫したバックに関するものである。
【背景技術】
【０００２】おしゃれなバックはたくさんありますが、女性用で仕事とプライベートの両方に適したバックはみかけません。
毎年、新学期前になると新作を期待して探しまわりました。
考えた末に男性用のビジネスバックを利用。
Ａ４の書類が収まるのは良いですが、たくさん入ると他の物が入るゆとりがなく、中の仕切りに入れてある携帯やメガネや財布が出しにくくそれらの重さでせっかく仕切りのある仲の袋がヘタリ易い。
２Ｗａｙであるのはありがたいがもち手を使うときは長いベルトがぶらぶらして邪魔になり、取り外すと入用のときに困る。
またベルトを使うときは持ち手が（腕に通すゆとりがあるのは良いが）邪魔になる。カチとした持ち手だと提げるのみしか出来ない。かっこいいが使いずらい。
ショルダーバックとリュクを兼用したものでのリュックはたくさん荷物のある時や両手がほしいときはとても助かるが仕事には向かない。
迅速がなにより大切な仕事にＡ４の書類を縦に入れていたのでは見出しがみえず、上のほうがしぼまってしまうので出しずらい。
大切な書類がいたんでは話にならない。学生用の鞄みたいのはあるが、かぶせがとても邪魔になる。（すぐに書類が出せない）下げる部分はあるが壁にかけたりする為のものであったりさげられるようになっているものでも荷が重ければしなりやすい。材質的にも仕事には向かない。
【発明の開示】
【発明が解決しようとする課題】
【０００３】これには次のような欠点があった。
女性用のビジネスバックといえど機能的とはいえず仕事優先の結果の妥協としてＡ４が横にいるための大きめのバックを持つことになる。
女性用の服はポケットはあってもほとんどかざりに近いので必要な持ち物はバックに頼らざるをえない。
男性の場合はスーツのポケットもペンの入るながさ、内ポケットも財布の入る長さ等計算されてつくられている。スーツをきている限りでは少なくても６つ以上のポケットがあって、いつでもなんでもすぐだせてすぐしまえる環境にある。着るものでの便利よさに比べればバッグでのべんりよさははるかに及ばないだけに、男性のビジネスバッグ以上に女性のバッグには機能性の追求は絶対大切です。
また、女性の肩にはずっしりと子育てや家事や介護がかかっておりそのため、家族のもの、役所関係、銀行関係、医療関係等のものを持ち歩かねばならないことがあります。平均通勤時間からいつてＴＰＯにあわせて家に帰ってバッグを持ち帰るゆとりはなく料理、洗濯以外はすべてを家に帰るまでになしとげねばならないのが現状です。あわただしく中身を入れ替えたりするとかならず要る物をわすれたりする。また、そんな時間のロスももったいない。
バッグは沢山あっても結局使いなれたものばかりを使うことが多く、その分痛みも早い。いつも同じところが痛むので、そこだけ修理してもらおうと思うのだが修理代を聞くと買ったほうがましでもったいないとおもいつつ、さようならをする。
本発明は、以上のような欠点をなくすためになされたものである。
【課題を解決するための手段】
【０００４】ひとつのバッグ本体がオールマイティで機能的で長持ちするためにバッグとベルトを別々にすれば傷んだもののみをとりかえることができる。
自由にアレンジできるのでそれぞれ同じ所ばかり酷使することがないので長持ちするし利用頻度もおおきくなる。
バッグ自体が重くては身体への負担も大きいので極力最小限のもので最大に利用ができるよう、可能な限り２〜３のきのうをかねそなえるようにした。
バッグ本体との留め金には、大きめのカフスボタンを利用、カフスボタンだと簡単に取り外しができる。
なかふくろは取り外し自由にすればそれだけを入用時には単独でもつかえる。
用途に応じた中袋（例えばパソコン用とか）をえらべるようにしておく。
また、２つとも取り外せばその分広くつかえる。
一つはビニールでバッグのカバーにもなるようにしておく
普通のベルトは、はずしてはめて通すの３段階の手間がいるがチェーンだと簡単にながさの調節ができアクセサリーとしてもかっこよく、もつ楽しみも大きい。身長はきまっているので自分にあった長さを選べるのもバッグとベルトが別だからこそである。以上の構成による組み合わせでオールマイティに使えるビジネスバッグである。
【発明を実施するための最良の形態】
【０００５】本発明の実施の形態について説明する。
ベルトは三部構成でチェーンで長さの調節をする。
肩パットとして兼用するタオル地（夏用）は身体にも優しく気持ちよい。
取り外しできるので洗濯もできる。
毛皮（冬用）はゴージャス感があってリッチな気分になれる。いずれもともにアクセサリーとして楽しめるので気分爽快である。ベルトの真ん中部分は二本の革ひもをバッグ本体の留め金の部分にあわせてとめられるようにつないでおく。
（図１）上部中央の１１センチ×３センチの空きは持ち手となるので基本形としてこれ単独では提げるバッグとして機能する。
（図２）持ち手の長さは自由にアレンジできる。
（図３）中の袋は取り外し自由。たるみを防ぐためハトメ以外に上部同位置線上に均等に３このハトメを作り同じくカフスボタンでとめるようにする。
中袋の一つはバッグのカバーとしても使うためバッグにかけるためのひもをつけておく。
外ポケットはすぐだせてすぐしまうためのバッグの生命線なので、深くてもこまるし浅くても困る。バッグカバーにもなる中の袋はあさい方が使いやすいのでものを入れたときのふくらみは上下で相殺できる形になる。
（図４）リュックにするときは空きの部分からベルトを３と５にクロスさせて通し７と８でとめる。
（図５）ショルダーにするときは片方にベルトでワッカをつくりそれとバッグのサイドの９でとめる。もちろん１０でとめてもよい。いずれの場合も２〜３通りの使い方ができる。
持ち手部分はリュック以外では被せの役目もする。左右対称裏表同じなのでリュックの場合大事なものは背中がわにもってこれる。
【発明の効果】
【０００６】高齢化社会に向かって健康で７０歳までは働かないといけない時代です。
育児家事介護仕事をこなす体力は経済的な面からいってもお弁当持参、寒ければ一枚持っていき、雨がふりそうだと傘をもっていく、歯ブラシセットも化粧品もかかせない。本が好きなひとは本を入れ、カセットで英会話の勉強したい人はカセットを入れ、束の間の休息には好きなことで十分な充電をする。仕事帰りは夕食の材料の買物、できるだけ荷物は一つにまとめたい。そのまえの子供を迎えにいく。子供と手をつなぐ、子供が小さい時のなによりのコミュニケーション。これだけのことを来る日も来る日も元気にこなすために、このバッグはリュックになりショルダーバッグになり腕に通すこともでき提げることもしてくれる応援団。帰れば料理に掃除洗濯アイロンがけ際限なくあります。軽くて変幻自在なバッグは助けの神、家にいる以外はバッグなしではなりたたない重要アイテムです。男性のスーツのポケットのように外ポケットこそバッグの生命線、携帯、定期、メガネ等はすぐ出せてすぐなおしたい。６つは作れるポケットがその役目をはたしてくれる。鍵や財布のように大事なものはポケットのなかにファスナー付きのポケットだと安心する。伸縮性のポケットもボトルようにぜひ必要。伊達男が羽織の裏を自慢したことをバッグでやる。表が黒だと仕事から冠婚葬祭まで使える。裏は明るく芸術的だと元気がでる。必要なもの、大事なものがそのなかにある。家では書斎になる。寅さんではないがこんなバッグがあれば小旅行もできる。きっと男性でも使いたくなると思う。
【図面の簡単な説明】
【０００７】
【図１】本発明の実施形態のビジネスバックであって、その本体を示す図である。
【図２】図１のビジネスバックであって、手持ちタイプのバックを示す図である。
【図３】図１のビジネスバックの中袋を示す図である。
【図４】図１のビジネスバックであって、リュックサックタイプのバックを示す図である。
【図５】図１のビジネスバックであって、ショルダーバックタイプのバックを示す図である。
【符号の説明】
【０００８】１  持ち手
２  ハトメ
３  ハトメ
４  ハトメ
５  ハトメ
６  ハトメ
７  ハトメ
８  ハトメ
９  ハトメ
１０  ワッカ
１１  ゴムヒモ
１２  ゴムヒモ
１３  ゴムヒモ
１４  ゴムヒモ